(57)【要約】【課題】汚れや臭気成分を含む空気を浄化するための水噴霧空気浄化装置において、水の汚れを抑えることにより装置内の清掃といったメンテナンス作業を軽減して、継続した空気浄化性能を維持することを目的とする。【解決手段】風を送風する送風手段と水を送水する送水ポンプと水を噴霧するスプレーノズルと流下する噴霧水を受け止める水槽と水滴を除去する気水分離部を備え、汚れや臭気成分を分解することができる好気性微生物を蓄えた担体と好気性微生物に必要な空気を供給するエア供給手段を具備した水処理手段を水槽の近傍に配置して配管によって接続することにより、水に含まれる汚れや臭気成分を好気性微生物が分解して水の汚れが抑えられるため、メンテナンス作業が軽減されるとともに、継続した空気浄化性能を維持することができる水噴霧空気浄化装置が得られる。【選択図】図１
2010000105.tif 000002
【特許請求の範囲】
【請求項１】
風を送風する送風手段と水を送水する送水ポンプと水を噴霧するスプレーノズルと流下する噴霧水を受け止める水槽と水滴を除去する気水分離部を備え、前記送水ポンプにより水が配管内を通り、複数個の前記スプレーノズルから前記送風手段の風路内に噴霧され、空気と噴霧された水が接触することによって空気中に含まれる汚れや臭気成分が噴霧水に移行して清浄な状態となった空気が気水分離部を通過した後、吹出口から装置外部に吹出される水噴霧空気浄化装置において、汚れや臭気成分を分解することができる好気性微生物を蓄えた担体と、前記好気性微生物に必要な空気を供給するエア供給手段を具備した水処理手段を前記水槽の近傍に配置して配管によって接続し、前記水処理手段と前記送水ポンプを配管によって接続したことを特徴とする水噴霧空気浄化装置。
【請求項２】
前記水処理手段を前記水槽の近傍に配置して複数本の配管で接続し、これら複数本の配管の内の一本に循環ポンプを配置し、前記水処理手段と前記水槽の水を循環させることを特徴とする請求項１記載の水噴霧空気浄化装置。
【請求項３】
前記水処理手段を前記水槽の近傍に配置して複数本の配管で接続し、前記送水ポンプはこれら複数本の配管の内の一本に設置し、この送水ポンプの吐出口側の配管を２つに分岐し、一方を前記スプレーノズルへ接続して風路内に水を噴霧し、他方を前記水処理手段に接続したことを特徴とする請求項１記載の水噴霧空気浄化装置。
【請求項４】
前記エア供給手段は、前記送風手段の吐出口から前記水処理手段へエア配管を設け、前記送風手段による送風の一部を前記水処理手段に供給してなることを特徴とする請求項１から３の何れか１項に記載の水噴霧空気浄化装置。
【発明の詳細な説明】
【技術分野】
【０００１】
本発明は、汚れや臭気成分を含む空気を浄化するための水噴霧空気浄化装置に関する。
【背景技術】
【０００２】
従来、この種の水噴霧空気浄化装置は、ノズルより噴霧する水を循環再使用する方式のものが知られている（例えば、特許文献１参照）。
【０００３】
以下、その水噴霧空気浄化装置について図５を参照しながら説明する。
【０００４】
図に示すように、外枠１０８と、外枠１０８内に設けられた周囲に水を噴霧し微細水滴を発生させる噴霧部１０６を備えた空気清浄部１０７と、空気清浄部１０７の微細水滴発生領域内に空気を送風し微細水滴混合空気とする送風手段１０１と、噴霧部１０６に水を送水する送水手段１０２を備え、噴霧部１０６は角柱で空気清浄部の中心部に垂直に備えて構成している。
【０００５】
噴霧部１０６は噴霧管に水を噴霧する複数のノズル１０３を複数段具備した構成であり、複数のノズル１０３から空気清浄部１０７内壁に向かい水を噴霧させて内壁に衝突させることにより微細水滴が発生し、噴霧された水は水槽１０４に流下し、再度送水手段１０２によって複数のノズル１０３より噴霧されることとなる。
【０００６】
一方、送風手段１０１により空気清浄部１０７へ空気が送り込まれ微細水滴と接触し、気水分離部１０５により大粒の水滴は分離され微細水滴を含んだ高湿度空気のみが外部へ吹出される。
【特許文献１】特開２００３−０２８４７１号公報（第６頁、図１）
【発明の開示】
【発明が解決しようとする課題】
【０００７】
このような従来の水噴霧空気浄化装置では、複数のノズル１０３から噴霧された水と送風手段１０１によって送り込まれた空気が接触することによって空気中に含まれる汚れや臭気成分が噴霧された水に移行するため、空気は浄化されるが水は徐々に汚れることとなり、装置内の清掃が頻繁に発生し、また空気浄化性能も維持することができないという課題があり、装置のメンテナンス作業を軽減して、継続した空気浄化性能を維持することが要求されている。
【０００８】
また、空気浄化性能を維持する施策として水の汚れを軽減するために上水等の新鮮水を水槽１０４に供給したり、または薬品を添加したりといった手段を採用している場合が多いが、ランニングコストが比較的高いという課題があり、ランニングコストを低減することが要求されている。
【０００９】
本発明は、このような従来の課題を解決するものであり、水の汚れを抑えることにより装置内の清掃といったメンテナンス作業を軽減して、継続した空気浄化性能を維持することができ、また、新鮮水の補給や薬品の添加を抑えることによりランニングコストを低減することのできる水噴霧空気浄化装置を提供することを目的としている。
【課題を解決するための手段】
【００１０】
本発明の水噴霧空気浄化装置は上記目的を達成するために、汚れや臭気成分を分解することができる好気性微生物を蓄えた担体と好気性微生物に必要な空気を供給するエア供給手段を具備した水処理手段を水槽の近傍に配置して配管によって接続し、水処理手段と送水ポンプを配管によって接続したものである。
【００１１】
この手段により、水の汚れが抑えられて装置のメンテナンスが軽減され、継続した空気浄化性能を維持することができ、また、ランニングコストを低減することができる水噴霧空気浄化装置が得られる。
【００１２】
また他の手段は、水処理手段を水槽の近傍に配置して複数本の配管で接続し、これら複数本の配管の内の一本に循環ポンプを配置し、水処理手段と水槽の水を循環させるものである。
【００１３】
この手段により、水の汚れが抑えられて装置のメンテナンスが軽減され、継続した空気浄化性能を維持することができ、また、ランニングコストを低減することができる水噴霧空気浄化装置が得られる。
【００１４】
また他の手段は、水処理手段を水槽の近傍に配置して複数本の配管で接続し、送水ポンプはこれら複数本の配管の内の一本に配置し、この送水ポンプの吐出口側の配管を２つに分岐し、一方をスプレーノズルへ接続して風路内に水を噴霧し、他方を水処理手段に接続したものである。
【００１５】
この手段により、ポンプを削減して装置寸法を低減することができる水噴霧空気浄化装置が得られる。
【００１６】
また他の手段は、エア供給手段は送風手段の吐出口から水処理手段へエア配管を設け、送風手段による送風の一部を水処理手段に供給してなることとしたものである。
【００１７】
この手段により、装置寸法を軽減することができる水噴霧空気浄化装置が得られる。
【発明の効果】
【００１８】
本発明によれば水の汚れを抑えることにより装置内の清掃といったメンテナンス作業を軽減して、継続した空気浄化性能を維持することができるとともに、新鮮水の補給や薬品の添加を抑えることによりランニングコストを低減することができるという効果のある水噴霧空気浄化装置を提供できる。
【００１９】
また、ポンプを削減したりエア供給手段としてエアポンプを不要とすることにより、装置を構成している部品数を少なくして装置寸法を低減することができる。
【発明を実施するための最良の形態】
【００２０】
本発明の請求項１記載の発明は、風を送風する送風手段と水を送水する送水ポンプと水を噴霧するスプレーノズルと流下する噴霧水を受け止める水槽と水滴を除去する気水分離部を備え、前記送水ポンプにより水が配管内を通り、複数個の前記スプレーノズルから前記送風手段の風路内に噴霧され、空気と噴霧された水が接触することによって空気中に含まれる汚れや臭気成分が噴霧水に移行して清浄な状態となった空気が気水分離部を通過した後、吹出口から装置外部に吹出される水噴霧空気浄化装置において、汚れや臭気成分を分解することができる好気性微生物を蓄えた担体と前記好気性微生物に必要な空気を供給するエア供給手段を具備した水処理手段を前記水槽の近傍に配置して配管によって接続し、前記水処理手段と前記送水ポンプを配管によって接続した構成としたものであり、水に含まれる汚れや臭気成分を好気性微生物が分解することにより水の汚れが抑えられることとなり、装置内の清掃といったメンテナンス作業が軽減され、スプレーノズルより噴霧する水の循環再使用で汚れの少ない水をスプレーノズルより噴霧し続けることにより継続した空気浄化性能を維持することができるとともに、新鮮水の補給や薬品の添加を行うことなく水の汚れが抑制できることとなり、ランニングコストの低減が図れるという作用を有する。
【００２１】
また、前記水処理手段を前記水槽の近傍に配置して複数本の配管で接続し、これら複数本の配管の内の一本に循環ポンプを配置し、前記水処理手段と前記水槽の水を循環させる構成としたものであり、水に含まれる汚れや臭気成分を好気性微生物が分解することにより水の汚れが抑えられることとなり、装置内の清掃といったメンテナンス作業が軽減され、スプレーノズルより噴霧する水の循環再使用で汚れの少ない水をスプレーノズルより噴霧し続けることにより継続した空気浄化性能を維持することができるとともに、新鮮水の補給や薬品の添加を行うことなく水の汚れが抑制できることとなり、ランニングコストの低減が図れるという作用を有する。
【００２２】
また、前記水処理手段を前記水槽の近傍に配置して複数本の配管で接続し、前記送水ポンプはこれら複数本の配管の内の一本に設置し、この送水ポンプの吐出口側の配管を２つに分岐し、一方を前記スプレーノズルへ接続して風路内に水を噴霧し、他方を前記水処理手段に接続した構成としたものであり、ポンプを削減することにより装置を構成している部品数を少なくすることができることとなり、装置寸法の低減が図れるという作用を有する。
【００２３】
また、前記エア供給手段は、前記送風手段の吐出口から前記水処理手段へエア配管を設け、前記送風手段による送風の一部を前記水処理手段に供給してなる構成としたものであり、エアポンプを不要とすることにより装置を構成する部品数を少なくすることができることとなり、装置寸法の低減が図れるという作用を有する。
【００２４】
以下、本発明の実施の形態について図面を参照しながら説明する。
【００２５】
（実施の形態１）
図１に示すように、風を送風する送風手段１と水を送水する送水ポンプ２と水を噴霧するスプレーノズル３と流下する噴霧水を受け止める水槽４と水滴を除去する気水分離部５を備え、汚れや臭気成分を分解することができる好気性微生物を蓄えた担体８と好気性微生物に必要な空気を供給するエア供給手段としてエアポンプ９を具備した水処理手段１０を水槽４の近傍に配置して配管１１によって接続し、水処理手段１０と送水ポンプ２を配管によって接続した構成としている。
【００２６】
上記構成において、水処理手段１０の水が送水ポンプ２により配管内を通り、複数個のスプレーノズル３から送風手段１の風路６内に噴霧され、送風空気と噴霧された水が接触することによって空気中に含まれる汚れや臭気成分が噴霧水に移行して空気は清浄となるが水は汚れる。汚れた水は配管１１を通って、水処理手段１０に送り込まれる。水に含まれる汚れや臭気成分は、水処理手段１０において好気性微生物によって分解される。その結果、水の汚れが抑えられることとなり、装置内の清掃といったメンテナンス作業が軽減され、スプレーノズル３より噴霧する水の循環再使用で汚れの少ない水をスプレーノズル３より噴霧し続けることにより継続した空気浄化性能を維持することができる。さらには、新鮮水の補給や薬品の添加を行うことなく水の汚れが抑制できることとなり、ランニングコストの低減を図ることができる。
【００２７】
なお、好気性微生物としては浄化しようとする空気に含まれる汚れや臭気成分の種類に応じて分解可能な周知の微生物を用いることができる。
【００２８】
また、送水ポンプ２は水処理手段１０と配管によって接続したが、水槽４と接続してもよく、その作用効果に差異を生じない。
【００２９】
また、図２に示すように、水処理手段１０を水槽４の近傍に配置して複数本の配管１１で接続し、これら複数本の配管１１の内の一本に循環ポンプ１２を配置し、水処理手段１０と水槽４の水を循環させる構成としてもよい。
【００３０】
（実施の形態２）
図３に示すように、水処理手段１０を水槽４の近傍に配置して複数本の配管１１で接続し、送水ポンプ２はこれら複数本の配管１１の内の一本に設置し、この送水ポンプ２の吐出口側の配管を２つに分岐し、一方を前記スプレーノズル３へ接続して風路６内に水を噴霧し、他方を水処理手段１０に接続した構成としている。
【００３１】
上記構成において、送水ポンプ２のみで水を噴霧するスプレーノズル３への送水と、水処理手段１０と水槽４との水の強制的な循環を行うことによりポンプが削減できることとなり、装置を構成している部品数を少なくして装置寸法の低減を図ることができる。
【００３２】
（実施の形態３）
図４に示すように、エア供給手段は、送風手段１の吐出口から水処理手段１０へエア配管１３を設け、送風手段１による送風の一部を水処理手段１０に供給してなる構成としている。
【００３３】
上記構成において、エア供給手段として水処理手段１０に具備するエアポンプが不要となることとなり、装置を構成している部品数を少なくして装置寸法の低減を図ることができる。
【産業上の利用可能性】
【００３４】
以上のように、汚れや臭気成分を含む空気を浄化するための水噴霧空気浄化装置を、油分の多い工場環境での油分除去の用途にも適用できる。
【図面の簡単な説明】
【００３５】
【図１】本発明の実施の形態１の水噴霧空気浄化装置を示す縦断面図
【図２】同水噴霧空気浄化装置の他の形態を示す縦断面図
【図３】本発明の実施の形態２の水噴霧空気浄化装置を示す縦断面図
【図４】本発明の実施の形態３の水噴霧空気浄化装置を示す縦断面図
【図５】従来の水噴霧空気浄化装置を示す図
【符号の説明】
【００３６】
１    送風手段
２    送水ポンプ
３    スプレーノズル
４    水槽
５    気水分離部
６    風路
７    吹出口
８    担体
９    エアポンプ
１０  水処理手段
１１  配管
１２  循環ポンプ
１３  エア配管
【図１】
2010000105.tif 000003
【図２】
2010000105.tif 000004
【図３】
2010000105.tif 000005
【図４】
2010000105.tif 000006
【図５】
2010000105.tif 000007